(57)【特許請求の範囲】
【請求項１】
防水性を要する設備を収納するための防水カバーであって、
カバー上部材又はカバー本体部と、
カバー下部材と、を有し、
前記カバー下部材には、カバー内部に水飛沫が浸入するのを防止するための水飛沫浸入防止部材が取り付けられており、
前記水飛沫浸入防止部材は、前記カバー下部材の底面から所定角度で立ち上がる側面部と、当該側面部から連続する外縁部と、を有する防水カバー。
【請求項２】
請求項１において、
前記カバー下部材は平板で構成された前記カバー上部材又はカバー本体部の下蓋であり、
前記水飛沫浸入防止部材は、前記平板と密着する底面部を有する防水カバー。
【請求項３】
請求項１又は２において、
前記外縁部には、複数の切り込みが形成されている防水カバー。
【請求項４】
請求項３において、
前記カバー下部材には切欠きが形成されている防水カバー。
【請求項５】
請求項１乃至４の何れか１項において、
前記カバー下部材の中心から前記外縁部の端部までの距離は、前記カバー下部材の中心から前記カバー下部材の端部までの距離、及び前記カバー本体部の中心から前記カバー本体部の内側端部までの距離よりも大きく、
前記外縁部は、前記側面部との境界部を支点として、前記カバー下部材が前記カバー本体部に挿入される方向とは逆方向に弾性変形している防水カバー。
【請求項６】
請求項１乃至５の何れか１項において、
前記水飛沫浸入防止部材は複数の分割部材で構成され、当該複数の分割部材が隣接する他の分割部材と重なりながら前記カバー下部材に取り付けられている防水カバー。
【請求項７】
請求項３又は４において、
前記水飛沫浸入防止部材は、前記外縁部に山部と谷部が構成されるように弾性変形し、かつ前記切り込みが前記谷部に配置されるように、前記カバー下部材に取り付けられている防水カバー。
【請求項８】
請求項１において、
前記カバー上部材は、ドーム形状をなしている防水カバー。
【請求項９】
請求項１又は８において、
前記カバー下部材は、柱上部品で構成される防水カバー。
【発明の詳細な説明】
【技術分野】
【０００１】
本発明は、防水カバーに関し、例えば、内部に防水性を要する設備を収容するためのカバーに関するものである。
【背景技術】
【０００２】
防水性を要する設備を屋外や屋内プール等、水がかかる可能性がある場所へ設置する際には、カバー内に収納されて設置されることが多い。特に、携帯電話機の基地局アンテナなどの電気設備は、カバー内に収納され、内部への浸水を防止するようにしている。ところが、カバーに収納したとしても凍結や結露などによりカバー内部に水分がたまってしまうことがある。このたまってしまった水分により、内部に収納された電気設備が故障してしまうことがある。このため、たまった水分はカバーから抜く必要がある。
【０００３】
例えば、特許文献１には、カバーの底蓋に水抜き穴を設けるとともに、水飛沫の逆流を防止するための防水シートを底蓋に取り付けたアンテナカバーが開示されている。特許文献１のアンテナカバーによれば、カバー内部で発生した水分を抜くことができると共に、防水シートによりカバー内部への水（雨水等）の浸入を防ぐことができるようになる。
【先行技術文献】
【特許文献】
【０００４】
【特許文献１】特開２００８−２１１３２４号公報
【発明の概要】
【発明が解決しようとする課題】
【０００５】
本発明は、カバー内部からの水抜き機能、及びカバー内部への浸水防止機能を担保しつつ、防水カバーの製造コストをさらに抑えることを可能とする技術を提供する。
【課題を解決するための手段】
【０００６】
上記課題を解決するために、本発明は、防水性を要する設備を収納するための防水カバーに関し、カバー上部材又はカバー本体部と、カバー下部材と、を有する。カバー下部材には、カバー内部に水飛沫が浸入するのを防止するための水飛沫浸入防止部材が取り付けられている。この水飛沫浸入防止部材は、カバー下部材の底面から所定角度で立ち上がる側面部と、当該側面部から連続する外縁部と、を有している。
【０００７】
さらなる本発明の特徴は、以下本発明を実施するための形態および添付図面によって明らかになるものである。
【発明の効果】
【０００８】
本発明によれば、カバー内部からの水抜き機能、及びカバー内部への浸水防止機能を担保しつつ、屋外設備用カバーの製造コストをさらに抑えることができるようになる。
【図面の簡単な説明】
【０００９】
【図１】本発明の実施形態によるアンテナカバーの外観例を示す図である。
【図２】本発明の実施形態によるアンテナカバーの下部材（下蓋）の構成例を示す図である。
【図３】アンテナカバーの下方向からの水分の浸入をブロックする水飛沫浸入防止部材の構成例を示す図である。
【図４】水飛沫浸入防止部材の構成部材の詳細を示す図である。
【図５】水飛沫浸入防止部材が取り付けられたカバー下部材（下蓋）の様子を示す図である。
【図６】水飛沫浸入防止部材が取り付けられたカバー下部材（下蓋）をカバー本体部に挿入したときの様子を上から見た図である。
【図７】図６における直線Ｘ２‐Ｘ２での断面を示す図である。
【図８】変形例による四角柱形状をしたアンテナカバーの例を示す図である。
【図９】変形例による水飛沫浸入防止部材の構成部材の詳細を示す図である。
【図１０】一変形例によるドーム形状をした防水カバーの例を示す図である。
【図１１】別の変形例による防水カバーの外観構成を示す図である。
【発明を実施するための形態】
【００１０】
以下、添付図面を参照して本発明の実施形態について説明する。添付図面では、機能的に同じ要素は同じ番号で表示される場合もある。なお、添付図面は本発明の原理に則った具体的な実施形態と実装例を示しているが、これらは本発明の理解のためのものであり、決して本発明を限定的に解釈するために用いられるものではない。
【００１１】
本実施形態では、当業者が本発明を実施するのに十分詳細にその説明がなされているが、他の実装・形態も可能で、本発明の技術的思想の範囲と精神を逸脱することなく構成・構造の変更や多様な要素の置き換えが可能であることを理解する必要がある。従って、以降の記述をこれに限定して解釈してはならない。
【００１２】
また、本実施形態は、内部にアンテナを収納するアンテナカバーとして説明されるが、本発明の特徴はアンテナカバーにのみ適用可能なものではなく、屋内外に設置される設備一般に適用可能であることに留意すべきである。
【００１３】
＜アンテナカバー外観＞
図１は、本発明の実施形態によるアンテナカバー１の外観を示す図である。図１に示されるように、アンテナカバー１は、カップ状の上蓋１０と、筒状（円柱形状）のカバー本体部２０と、水飛沫浸入防止部材４０を平板に取り付けることにより構成される下蓋３０と、を有している。
【００１４】
図１に示されるように、上蓋１０をカバー本体部２０に嵌めた後（しまりばめ）、上蓋１０及びカバー本体部２０の側面に設けられたねじ孔に挿入されるねじ（図示せず）により、上蓋１０はカバー本体部２０に固定される。なお、カバー本体部２０の内部には、携帯電話機などの基地局アンテナやフィルタ、増幅器などの電気装置などが収納される。
【００１５】
同様に、下蓋３０をカバー本体部２０の内部に挿入した後（すきまばめ）、カバー本体部２０及び下蓋３０の側面に設けられたねじ孔に挿入されるねじにより（図２参照）、下蓋３０は、カバー本体部２０に固定される。下蓋３０の直径（外径）をカバー本体部２０の内径よりもほんの少しだけ小さくし、下蓋３０をカバー本体部２０にしっかりと固定されるようにしても良いが、下蓋３０の直径をカバー本体部２０の内径よりもさらに小さく構成するようにしても良い。これにより、ねじ留めしたときでも、下蓋３０とカバー本体部２０の内側面との間に隙間を形成することができる。この隙間は、アンテナカバー１の内部に発生したり、浸入したりする水分を抜く機能を有することになる。例えば、カバー本体部２０の円筒内側の直径を２０３ｍｍとすると、下蓋３０の直径を２０２．５ｍｍにすると良い。
【００１６】
ここで、上蓋１０は、強化プラスチックやアルミなどの金属材料で構成され、カバー本体部２０は、強化プラスチックで構成され、下蓋３０はアルミなどの金属材料で構成される。
【００１７】
＜下蓋の構成＞
図２は、本発明の実施形態によるアンテナカバー１の下蓋３０の構成を示す図である。図２Ａは、下蓋３０をほぼ真上から見た図である。図２Ｂは、下蓋３０を斜め上から見た図である。
【００１８】
下蓋３０は、円盤状の平板３１で構成され、平板３１に形成され、平板３１をカバー本体部２０にねじ留めするための複数の平板固定部３２と、水飛沫浸入防止部材４０を平板３１にねじで取り付けるための、複数のねじ孔３３と、図示しないコネクタを取り付けるための、複数のコネクタ取り付け部３４と、平板固定部３２の立ち上げを容易にし、水抜き孔としても機能する、複数の切欠き３５と、を有している。
【００１９】
図２では、水飛沫浸入防止部材４０を平板３１に取り付けるためのねじ孔３３は４つ設けられているが、４つに限定されるものではなく、４つより多くても良い。水飛沫浸入防止部材４０を平板３１に取り付けたときに、水飛沫浸入防止部材４０と平板３１とがなるべく隙間なく密着するようになっている。なお、平板３１の中心から水飛沫浸入防止部材４０を取り付けるためのねじ孔３３までの長さ（複数のねじ孔３３を繋げて構成される円の半径ｒ２）は、平板３１の半径ｒ１（１０１．２５ｍｍ）よりも小さく、例えば、８６．５ｍｍと設定することができる。
【００２０】
また、平板固定部３２は、平板３１と一体として成形され、成形後に折り曲げられ、平板３１にほぼ垂直に立ち上げられることにより形成される。折り曲げて平板３１にほぼ垂直に立ち上げることを容易にするために、それぞれの平板固定部３２の両脇には切欠き３５が形成されている。この切欠き３５は、アンテナカバー１の内部に発生、或いは浸入した水分を抜くための水抜き孔としても機能するものである。後述のように、水飛沫浸入防止部材４０には水抜き孔を設けているので、切欠き３５と水飛沫浸入防止部材４０の水抜き孔の作用により、より確実にアンテナカバー１の内部に発生、或いは浸入した水分を外部に排出することが可能となる。
【００２１】
＜水飛沫浸入防止部材の構成＞
図３及び４は、アンテナカバー１の下方向からの水分の浸入をブロックする水飛沫浸入防止部材４０を示す図である。図３は、水飛沫浸入防止部材４０の外観を示す図である。
【００２２】
（i）図３に示されるように、構成部材４０１及び４０２は同一形状をなしている。各構成部材は、平板３１と密着する底面部４０１１と、底面部４０１１に所定の間隔で設けられる複数のねじ孔部（部材固定部）４０１１０と、底面部４０１１から所定の角度で立ち上がる側面部４０１２と、側面部４０１２の端部から外側に折れ曲がる外縁部（水の返し）４０１３と、外縁部４０１３に設けられた複数の切り込み部４０１４と、側面部４０１２に設けられた水抜き孔４０１５と、を有している。
【００２３】
各構成部材４０１及び４０２は、例えば樹脂（例えば、ＰＥＴが用いられるが、これに限らず、ある程度の柔軟性・可撓性を有する樹脂であればよい）を成形型に当て、型に設けられた真空孔から型と樹脂との間の空気を真空吸引し、大気圧で樹脂と型に密着させることにより成形される（真空成形）。部材固定部４０１１０を真空成形で作製するのは困難である場合には、底面部４０１１の幅を大きめに取り、真空成形後に底面部４０１１をカットして部材固定部４０１１０を作製するようにしても良い。また、外縁部４０１３は、真空成形時にはある程度大きめに形成され、その後適切な幅（外縁幅）にカットするようにしても良い。その際、複数の切り込み部４０１４を形成するようにしても良い。
【００２４】
水抜き孔４０１５は、下蓋３０に所定量以上の水が溜まった場合に排水できるようにするものである。水抜き孔４０１５は側面部４０１２に設けられており、各構成部材４０１及び４０２にそれぞれ少なくとも１つずつ設けることが好ましい。
【００２５】
なお、当該実施形態では、２つの構成部材４０１及び４０２を１組として、１つのアンテナカバー１で用いられる水飛沫浸入防止部材４０が構成されるようにしている。ただし、水飛沫浸入防止部材４０は、２つの構成部材でなく１つの構成部材として成形しても良いし、３つ以上の部材で構成されるようにしても良い。
【００２６】
（ii）図４は、水飛沫浸入防止部材４０の詳細構成を示す図である。図４Ａは、構成部材４０１の上面図と、構成部材４０１をＶ１方向から見た様子を示す図と、構成部材４０１をＶ２方向から見た様子を示す図である。図４Ｂは、構成部材４０１の直線Ｘ１−Ｘ１における断面図である。
【００２７】
図４Ａに示されるように、各構成部材４０１及び４０２を上から見ると、Ｏ点を中心としたほぼ半円形状で構成される。実際には半円よりも少し大きい扇形をなしているが、これは２つの部材を重ね合わせて平板３１上に固定することにより、１つの水飛沫浸入防止部材４０を形成しているからである。構成部材４０１において、中心Ｏと２つの部材固定部４０１１０とは角度θ１をなし、中心Ｏを通る水平直線Ｌと中心Ｏと部材固定部４０１１０を結んだ直線とは角度θ２をなしている。例えば、角度θ１は６０度、角度θ２は３０度とすることができる。このような角度にすることにより、２つの構成部材４０１及び４０２で水飛沫浸入防止部材４０を構成した場合に等間隔に部材固定部４０１１０を配置することが可能となる。等間隔に部材固定部４０１１０を配置すると、水飛沫浸入防止部材４０に掛かる力を均等にすることができるというメリットがある。ただし、この角度に限定されるものではなく、また、必ずしも部材固定部４０１１０が均等に配置される必要ないことは言うまでもない。
【００２８】
構成部材４０１の形状（上から見たときの形状）を半円よりもどの程度大きくするかは、水飛沫浸入防止部材４０において部材の重なり部分をどの程度取るかによって決まるものである。水飛沫浸入防止部材４０の底面部４０１１は部材固定部４０１１０で締結されているので隙間が形成される可能性は少ないが、重なり部分が少なすぎると、外縁部４０１３の重なり部分に隙間が形成される可能性がある。このため、各構成部材４０１及び４０２の大きさは、隙間が形成されないように重なる程度の大きさとすることが好ましい。
【００２９】
また、構成部材４０１をＶ１及びＶ２方向から見ると、図４Ａに示されるように、外縁部４０１３が側面部４０１２から外側に延設されていることが分かる。また、この外縁部４０１３は、下方向に折り曲げやすく構成されている。ただし、外縁部４０１３は、下方向への力に対しては反発力を生じさせる。従って、水飛沫浸入防止部材４０を装着した下蓋３０をカバー本体部２０に挿入する際に、外縁部４０１３の先端部分は、後述のように、カバー本体部２０の内側面に密着しながらカバー本体部２０の内部を移動（摺動）することになる。これらの密着作用により、外縁部４０１３とカバー本体部２０の内側壁の間に隙間を形成することがないようにすることができる。また、水飛沫浸入防止部材４０には切り込み部４０１４が設けられているため、水飛沫浸入防止部材４０を装着した下蓋３０をよりスムーズにカバー本体部２０に挿入することができるようになる。
【００３０】
側面部４０１２の立ち上がり角度をθ３、外縁部４０１３と側面部４０１２とがなす角度をθ４とすると、図４Ｂの例に示されるように、共に９０度よりも小さい角度とすることができる。ただし、θ３に関しては、９０度未満である必要はなく、０度＜θ３＜１８０度の範囲であれば水飛沫浸入防止部材４０の防水機能を実現することができる。よって、カバー本体部２０内に収容される物（例えば、アンテナの反射板）の位置に応じて、θ３の値を調整すれば良い。一方、θ４に関しては、０度＜θ４＜９０度を満たすことが好ましい。
【００３１】
＜水飛沫浸入防止部材を平板に取り付けた状態＞
図５は、水飛沫浸入防止部材４０を平板３１に取り付けた状態を示す図である。これは、カバー本体部２０に下蓋３０（平板３１＋水飛沫浸入防止部材４０）を取り付ける前の状態に相当する。
【００３２】
図５に示されるように、水飛沫浸入防止部材４０の構成部材４０１及び４０２は平板３１にねじ留めされる。つまり、各構成部材４０１及び４０２の部材固定部４０１１０を平板３１のねじ孔３３に位置合わせし、各構成部材４０１及び４０２を平板３１上に固定することになる。
【００３３】
２つの構成部材４０１及び４０２を平板３１に固定すると、２つの部材の重なり部分５０が生じるようになっている。このように２つの構成部材４０１及び４０２で水飛沫浸入防止部材４０を構成し（２つの部材に分割して構成する）、重なり部分５０を設けて平板３１に固定する。これにより、下蓋３０をカバー本体部２０に挿入する際に水飛沫浸入防止部材４０が変形したとしても、当該重なり部分５０で変形を吸収することができるので、水飛沫浸入防止部材４０とカバー本体部２０の側壁との間に隙間が形成されないようにすることができる。また、水飛沫浸入防止部材４０を複数の構成部材に分割することにより、平板３１への取り付けが容易となるという効果もある。
【００３４】
平板３１に取り付けられた水飛沫浸入防止部材４０の外縁部４０１３における径は、平板３１の径、及びカバー本体部２０の内径よりも大きくなっている。つまり、外縁部４０１３は、平板３１端から少しはみ出した状態となっている。
【００３５】
また、水飛沫浸入防止部材４０が平板３１に取り付けられると、水飛沫浸入防止部材４０に形成された複数の切り込み部４０１４は、平板３１の平板固定部３２の上に配置されるようになっている。このようにすることにより、水飛沫が切り込み部４０１４からアンテナカバー１内部に浸入しにくくすることが可能となる。
【００３６】
また、アンテナカバー１の内部（平板３１と水飛沫浸入防止部材４０によって囲まれた部分）に所定量の水が溜まってしまった場合には、水抜き孔４０１５を経由して溜まった水を切欠き３５からアンテナカバー１の外部に排出することができる。
【００３７】
＜下蓋をカバー本体部に挿入した状態＞
図６は、水飛沫浸入防止部材４０を取り付けた平板３１（下蓋３０）をカバー本体部２０に挿入した状態を真上から見た図である。
【００３８】
水飛沫浸入防止部材４０を取り付けた平板３１（下蓋３０）をカバー本体部２０に挿入する場合、上述のように水飛沫浸入防止部材４０の外縁部４０１３における径が平板３１の径及びカバー本体部２０の内径よりも多少大きくなっているため、水飛沫浸入防止部材４０の外縁部４０１３がカバー本体部２０の内側面に密着して変形しながら、下蓋３０はカバー本体部２０に挿入されることになる（変形しながら摺動する）。
【００３９】
図６に示されるように、水飛沫浸入防止部材４０は、変形しながらカバー本体部２０の内側面（内側の壁）に密着している。水飛沫浸入防止部材４０は部材固定部４０１１０で平板３１に固定されているため、掛かる力が逃げにくくなっており（切り込み部４０１４が互いに重なり合う程度にしか力を逃がすことができない）、その部分周辺の領域６１における水飛沫浸入防止部材４０の変形が大きくなっている。一方、部材固定部４０１１０間の領域６２では、水飛沫浸入防止部材４０の変形は比較的少ない。そして、領域６２から領域６１に向かってなだらかに傾斜している。つまり、領域６１が山で領域６２が谷となっている。このようにすると、外縁部４０１３とカバー本体部２０の内側面との間に浸入する水を領域６２に一定量集めた後、切り込み部４０１４からこの浸入する水を下に抜くことができる。そして、切り込み部４０１４から抜けた水を平板３１に設けられた切欠き３５からアンテナカバー１の外部に排出することができる。また、重なり部分５０においても、水飛沫浸入防止部材４０とカバー本体部２０との密着による力を逃がすことができる。ただし、重なり部分５０に力が掛かることによって隙間が形成されると防水効果が減少してしまう。そこで、上述のように、重なり部分５０の領域は隙間が形成されないような大きさにする必要がある。
【００４０】
図７は、図６における直線Ｘ２−Ｘ２での断面を示す図である。水飛沫浸入防止部材４０を取り付けた平板３１（下蓋３０）をカバー本体部２０に挿入する際には、外縁部４０１３はカバー本体部２０の内側面に接触しているため、外縁部４０１３は挿入方向とは逆方向に引っ張られる（張力が作用する）。この張力によって、外縁部４０１３は指示部７１を支点として挿入とは逆方向に角度θ５で垂れ下がる。この角度θ５は、張力で引っ張られる分、θ４（図４Ｂ参照）よりも小さくなるが、０度より大きく、９０度よりも小さければ良い（０度＜θ５＜θ４＜９０度）。なお、外縁部４０１３の端部がカバー本体部２０の内側面に適切に密着（隙間なく接触）するには、支持部７１が下方向（挿入方向とは逆方向）の力に対して反発力（ばね力）を有する必要がある。
【００４１】
また、下蓋３０のカバー本体部２０への挿入時には、側面部４０１２と平板３１がなす角度θ６は、挿入前の角度θ３よりも多少小さくなっている。ただし、部材固定部４０１１０における側面部４０１２と平板３１がなす角度θ６は角度θ３よりも多少大きくなっている。これは、下蓋３０をカバー本体部２０に挿入した場合には、水飛沫浸入防止部材４０が変形するためである。なお、当該θ６は、０度より大きく１８０度より小さいという条件（０＜θ６＜θ３＜１８０度）を満足すれば良い。θ６が０度に近いほど外縁部４０１３の面積が小さく、１８０度に近いほど外縁部４０１３の面積が大きくなる。外縁部４０１３の長さが長いほど（面積が大きいほど）、汎用性が増すとともに、下蓋３０に対するカバー本体部（筒状やドーム状の本体部を含む）２０の径を大きくすることが可能となる。
【００４２】
＜変形例＞
（１）本発明の実施形態では、水飛沫浸入防止部材４０（構成部材４０１及び４０２）を平板３１にねじ止めにより固定しているが、例えば金属製やプラスチック製のリベット等でかしめて止めるようにしても良いし、圧着や接着しても良く、平板３１と水飛沫浸入防止部材４０が確実に接合されていれば良い。
【００４３】
また、水飛沫浸入防止部材４０の部材固定部４０１１０を平板３１の部材取り付け孔（部材固定用のねじ孔３３に代替するもの）に嵌め込むことによりしっかりと固定できるような構造を採るようにしても良い。
【００４４】
（２）本発明の実施形態では、アンテナカバー１の形状として円筒形を例に説明したが、アンテナカバー１の形状は円筒形以外の多角柱形状であっても良い。
【００４５】
図８は、変形例による四角柱形状をしたアンテナカバー１’の例を示す図である。図８Ａは、カバー本体部（レドーム）２０’と下蓋３０’の外観を示す図である。図８Ｂは、カバー本体部２０’に挿入された下蓋３０’（水飛沫浸入防止部材４０’）を真上から見た図である。図８Ｃは、図８Ｂの直線Ｘ３−Ｘ３における断面から水飛沫浸入防止部材４０’を見た図である。
【００４６】
カバー本体部２０’が四角柱形状をなしているため、下蓋３０’の平板３１’はカバー本体部２０’の断面形状と同様に四角形形状をなしている。また、水飛沫浸入防止部材４０’は、四角柱形状のカバー本体部２０’の内側面に密着する必要があるため、平板３１’には四角錐台形状となるように装着される（図８Ａ参照）。この場合も、アンテナカバーが円筒形をなす場合と同様に、水飛沫浸入防止部材４０’における外縁部４０１３’の端部間の長さは、カバー本体部２０’の内側面横方向の長さよりも多少大きくなるように構成されている。
【００４７】
水飛沫浸入防止部材４０’は、１つの部材として構成しても良いし、２つ以上の構成部材で構成しても良い。なお、図８及び９には、４つの構成部材で構成した場合の例が示されている。４つの構成部材を用いた場合、水飛沫浸入防止部材４０’には４箇所の重なり部分５０’が生じることになる。
【００４８】
図９は、水飛沫浸入防止部材４０’を構成する１つの構成部材４０１’の詳細を示す図である。図９Ａは、構成部材４０１’の外観を示す図（立体図）である。図９Ｂは、構成部材４０１’を真上から見た様子、切り込み部４０１４’の詳細、及び直線Ｘ４−Ｘ４における断面を示す図である。構成部材４０１’は、上述の構成部材４０１と同様、平板３１’と密着する底面部４０１１’と、底面部４０１１’に所定の間隔で設けられる複数のねじ孔部（図示せず）と、底面部４０１１’から所定の角度で立ち上がる側面部４０１２’と、側面部４０１２’の端部から外側に折れ曲がる外縁部４０１３’と、外縁部４０１３’に設けられた複数の切り込み部４０１４’と、側面部４０１２’に設けられた水抜き孔（図示せず）と、を有している。
【００４９】
構成部材４０１’は、例えば樹脂（例えば、ＰＥＴが用いられるが、これに限らず、ある程度の柔軟性・可撓性を有する樹脂であればよい）を成形型に当て、型に設けられた真空孔から型と樹脂との間の空気を真空吸引し、大気圧で樹脂と型に密着させることにより成形される（真空成形）。
【００５０】
切り込み部４０１４’は、構成部材４０１’の角（水飛沫浸入防止部材４０’の四隅）に、カバー本体部（レドーム）２０’の内側面に合わせて外縁部４０１３’の一部を切り欠くことにより形成される。このような切り込み部４０１４’を設けることにより、外縁部４０１３’をカバー本体部２０’の内側面に密着させ、水飛沫浸入防止部材４０’とカバー本体部２０’との間に隙間が形成されることを防止することが可能となる。切り込み部４０１４’を設けないと、水飛沫浸入防止部材４０’の形状が崩れ隙間ができてしまう。
【００５１】
側面部４０１２’の立ち上がり角度θ３、及び外縁部４０１３’の垂れ下がり角度θ４については上述した通りである。
【００５２】
なお、本発明は、アンテナカバー以外にも、屋外に設置される設備（例えば、照明、固定カメラ、通信機器、警報装置等）を保護するためのカバー一般に適用可能であるとともに、屋内プールや地下等、屋内であっても内部に収容される物に対して防水性を施して保護するためのカバーにも適用可能である。
【００５３】
また、本実施形態ではカバー本体部（レドーム）の断面形状が円の場合と、四角形を例に説明したが、この断面の形状は上記形状に限る必要は無く、三角形や五角形などの多角形でも良く、円弧と平面を組合せた様な、いわゆる蒲鉾状の形状であっても良い。さらに、図１０に示されるように、円盤状の下蓋にドーム状のカバー本体部１００を組み合わせても良い。
【００５４】
（３）上述の実施形態では、下部材が平板形状の下蓋で構成されている防水カバーについて説明しているが、下蓋ではない、例えば柱状部品等、蓋（平板）とは言えない所定の厚さ或いは高さを有する部材を採用しても良い。図１１は、このような一変形例による防水カバーの外観構成を示す図である。
【００５５】
図１１に示されるように、当該変形例による防水カバー１１０は、上部材１１１と、下部材１１２と、を有している。上部材１１１は、図１に示される実施形態によるアンテナカバー（防水カバー）１の上蓋１０とカバー本体部２０とが１つの部材として形成されたものであり、上部材１１１の内部の空間に防水性を要する（水分から保護すべき）対象物が収容される。また、上部材１１１は、円形ドーム形状以外の形状、四角ドームや柱形状をなしても良く、さらに、アンテナカバー（防水カバー）１（図１や図８）のように、上蓋と本体部とを別構成にしても良い。下部材１１２には、水飛沫浸入防止部材４０が取り付けられている。水飛沫浸入防止部材４０は、上述の実施形態と同様、例えば真空成形された少なくとも１つの構成部材（上述の実施形態では２つの構成部材４０１及び４０２）で構成されている（図３及び図４参照）。また、水飛沫浸入防止部材４０と上部材１１１及び下部材１１２との関係は、図５乃至図７に示した通りであるので、詳細な説明は省略する。
【００５６】
＜まとめ＞
本発明の実施形態によれば、携帯電話用の基地局アンテナ等の屋外設備を収納するカバーが、筒状（円筒形状や多角柱形状）のカバー本体部（カバー上部材）と、カバー本体部（レドーム）に取り付けられる下蓋（カバー下部材）と、を有する。下蓋の形状は、カバー本体部の断面形状に整合するものとなっている。下蓋には、カバー内部に水飛沫が浸入するのを防止するための水飛沫浸入防止部材が取り付けられている。そして、水飛沫浸入防止部材は、下蓋の底面から所定角度で立ち上がる側面部と、当該側面部から連続する外縁部と、を有する。この外縁部の端部は、カバー本体部の内側面と密着している。このようにすることにより、屋外設備を水分から保護するための屋外設備用カバーの製造コストを低減することが可能となる。しかも、カバー下側からの水飛沫の浸入を防止する機能は従来のカバーに比べても劣ることはない。
【００５７】
また、水飛沫浸入防止部材は、下蓋の底面（平板）と密着する底面部と、当該底面部から立ち上がる側面部を有する。さらに、側面部には、水抜き孔が設けられている。これにより、水飛沫がカバー（防水カバー）内部に浸入することを防止することができるとともに、仮に内部に水分があったとしても水抜き孔から当該水分を排出することができる。
【００５８】
さらに、水飛沫浸入防止部材の外縁部には、複数の切り込みが形成されている。この切り込みを設けることにより、水飛沫浸入防止部材とカバー本体部（カバー上部材）の内側面（内壁）との間に隙間を形成させることなく、水飛沫浸入防止部材を取り付けた下蓋（カバー下部材）をカバー本体部（カバー上部材）に挿入することができるようになる。また、外縁部に溜まった（付着した）水分を当該切り込みから排出することができるようになる。また、下蓋（平板）には切欠きが形成されているので、外縁部から排出された水分は当該切欠きからカバー外部に排出することが可能となる。なお、好ましくは、下蓋がカバー本体部に挿入されたとき、水飛沫浸入防止部材が外縁部に山部と谷部が構成されるように弾性変形し、かつ切り込みが当該谷部に配置されるようにすると良い。
【００５９】
下蓋の中心から外縁部の端部までの距離は、下蓋の中心から下蓋の端部までの距離、及びカバー本体部の中心からカバー本体部の内側端部までの距離よりも大きく構成されている。そして、外縁部は、側面部との境界部を支点として、下蓋がカバー本体部に挿入される方向とは逆方向に弾性変形している。このようにすることにより、水飛沫浸入防止部材の外縁部とカバー本体部の内側面を確実に密着することができるようになる。
【００６０】
水飛沫浸入防止部材は１つの部材として構成しても良いが、複数の分割部材で構成してもよい。この場合、当該複数の分割部材が隣接する他の分割部材と重なりながら下蓋に取り付けられる。水飛沫浸入防止部材を複数の部材に分割して構成することにより、カバー内部に収容される物の配置を考慮することができるので、水飛沫浸入防止部材をより容易に取り付けられるようになる。
【符号の説明】
【００６１】
１    アンテナカバー（防水カバー）
１０    カバー上部材（上蓋）
２０，２０’    カバー本体部
３０，３０’    カバー下部材（下蓋）
３１，３１’    平板
３２    平板固定部
３３    ねじ孔
３５    切欠き
４０，４０’    水飛沫浸入防止部材
４０１，４０２    構成部材
４０１１    底面部
４０１１０    ねじ孔部（部材固定部）
４０１２    側面部
４０１３    外縁部（水の返し）
４０１４    切り込み部
４０１５    水抜き孔
１１０    防水カバー
１１１    上部材
１１２    下部材
【要約】
【課題】カバー内部からの水抜き機能、及びカバー内部への浸水防止機能を担保しつつ、カバー下部材の挿入を容易に出来るため、防水カバーの製造コストをさらに抑えることを可能とする技術を提供する。
【解決手段】本発明による防水カバーは、カバー上部材又はカバー本体部と、カバー下部材と、を有する。ここで、防水カバーの下部材は例えば平板で構成される。また、カバー下部材には、カバー内部に水飛沫が浸入するのを防止するための水飛沫浸入防止部材が取り付けられる。この水飛沫浸入防止部材は、カバー下部材の底面から所定角度で立ち上がる側面部と、当該側面部から連続する外縁部と、を有する。そして、外縁部の端部は、カバー本体部の内側面と密着している。
【選択図】図１【図１】
0005889451.tif 000002
【図２】
0005889451.tif 000003
【図３】
0005889451.tif 000004
【図４】
0005889451.tif 000005
【図５】
0005889451.tif 000006
【図６】
0005889451.tif 000007
【図７】
0005889451.tif 000008
【図８】
0005889451.tif 000009
【図９】
0005889451.tif 000010
【図１０】
0005889451.tif 000011
【図１１】
0005889451.tif 000012